(57)【要約】      （修正有）【課題】保温性と吸湿性を付与し、且つ、表側の耐摩耗性と耐ビリング性を悪化させないパイル織りソックスの提供をする。【解決手段】五本指型カカト付ソックスの裏面部にパイル組織を編成してなるソックスにおいて、該ソックスは指先部分と底部をパイル編みに形成してなり、又、ミトン型カカト付ソックスの裏面部にパイル組織を編成してなるソックスにおいて、ソックスは指先部分と底部をパイル編みに形成してなり、又、パイル編み部は、糸を２本又は複数本二つに分割し、且つ、１本又は分割した片側複数本をループ状のパイル目に編成して成る。【選択図】図１
0003115672.tif 000002
【実用新案登録請求の範囲】
【請求項１】
五本指型カカト付ソックスの裏面部にパイル組織を編成してなるソックスにおいて、該ソックスは指先（３）部分と底部（４）をパイル編み（Ｐ）に形成してなる事を特徴とするパイル織りソックス。
【請求項２】
五本指型カカト付ソックスの裏面部にパイル組織を編成してなるソックスにおいて、該ソックスは裏面部全面をパイル編み（Ｐ）に形成してなる事を特徴とするパイル織りソックス。
【請求項３】
ミトン型カカト付ソックスの裏面部にパイル組織を編成してなるソックスにおいて、該ソックスは指先（３'）部分と底部（４'）をパイル編み（Ｐ）に形成してなる事を特徴とするパイル編みソックス。
【請求項４】
ミトン型カカト付ソックスの裏面部にパイル組織を編成してなるソックスにおいて、該ソックスは裏面部全面をパイル編み（Ｐ）に形成してなる事を特徴とするパイル編みソックス。
【請求項５】
パイル編み（Ｐ）部は、糸を２本又は複数本二つに分割し、且つ、１本又は分割した片側複数本をループ状のパイル目（Ｐａ）に編成して成る事を特徴とする請求項１及び２記載のパイル編みソックス。
【考案の詳細な説明】
【技術分野】
【０００１】
この考案は、ソックスの内側裏面部にパイル組織を一部編成してなるパイル編みソックスに関するものである。
【背景技術】
【０００２】
従来、パイル組織を編成してなるソックスは、保温性を有する為に、現在広く普及している。これは、口ゴム部を除く全部位や、爪先や足底部位等の内側裏面部にパイル編み組織を形成するものであるが、従来のパイルソックスは、編糸を二本に限らず三本使用する場合でも、スパンデックス等の弾性糸の芯糸が収縮するので、この芯糸を包み込むようにパイル糸が編地の表裏に表出されるものであった。
【０００３】
ところが、例えば、保温性と吸湿性を有するウールやシルクをパイル糸として使用する場合、これが反対の表面にも表出すると、耐磨耗性が弱く成りピリングといって、表面に毛玉の発生も危惧される等の問題があった。
【０００４】
又、五本指ソックスやミトン型ソックスにはパイル織りを採用したものが無く、冬の寒い時期等、保温性が有り、履き心地が良く、水虫対策用としても使用されている五本指ソックスやミトン型ソックスにもパイル編みを採用すれば更に効果が倍増する為、これらの早期開発が望まれている。
【０００５】
そこで、これまでに出願されているパイルソックスの特許文献を参考の為、紹介する。（特許文献１〜２参照。）
【特許文献１】登録実用新案第３０２０００８号
【特許文献２】登録実用新案第３０５０１３４号
【考案の開示】
【考案が解決しようとする課題】
【０００６】
そこで、上記課題を解決する為に、この考案は保温性と吸湿性を付与し、且つ、表側の耐摩耗性と耐ビリング性を悪化させないパイル編みソックスの開発・提供をする事にある。
【課題を解決するための手段】
【０００７】
この課題を解決する為の手段として、五本指型カカト付ソックスの裏面部にパイル組織を編成してなるソックスにおいて、該ソックスは指先部分と底部をパイル編みに形成してなるものである。
【０００８】
又、ミトン型カカト付ソックスの裏面部にパイル組織を編成してなるソックスにおいて、該ソックスは指先部分と底部をパイル編みに形成してなるものである。
【０００９】
又、パイル編み部は、糸を２本又は複数本二つに分割し、且つ、１本又は分割した片側複数本をループ状のパイル目に編成して成るものである。
【考案の効果】
【００１０】
この考案の効果として、指先部分と底部をパイル編みに形成してなり、又、パイル編み部は、渡り糸を二本に分割し、且つ、一本をループ状のパイル目に編成して成る事で、耐磨耗性や耐ピリング性を悪化する恐れがなく、且つ、パイル糸にウールやシルク糸も使用する事が出来る為、保温性と吸湿性が良く、スポーツや労働作業用に最適である等、極めて有益なる効果を奏するものである。
【考案を実施するための最良の形態】
【００１１】
この考案の最良の形態として、使用目的・用途に応じた最適寸法形状・材質等を選定し、効果的、且つ、経済的なパイル編みソックスを形成する事が重要である。
【実施例１】
【００１２】
そこで、この考案の一実施例を図１〜図２に基づいて詳述すると、五本指型カカト付ソックスの裏面部にパイル組織を編成してなるソックスにおいて、該ソックスは指先（３）部分と底部（４）をパイル編み（Ｐ）に形成してなる事を特徴とするパイル編みソックス
から構成される。
【００１３】
又、パイル編み（Ｐ）部は、糸を２本又は複数本二つに分割し、且つ、１本又は分割した片側複数本をループ状のパイル目（Ｐａ）に編成して成るパイル編みソックスから構成される。
【００１４】
次に、この五本指型カカト付パイル編みソックスの詳細について説明すると、図１に示す様に、五本（親指から小指まで）の指先（３）部分と底部（４）にパイル編み組織を編成し、且つ、足首（２）部分から上部には口ゴム部（１）を設けて形成されている。
【００１５】
又、パイル編み（Ｐ）部の詳細について説明すると、図２に示す様に、糸を渡り糸（ＣＴ）とパイル糸の二本に分割し、且つ、一本をループ状のパイル目（Ｐａ）に編成して成るもので、表面は良く伸び縮みするメリャス編みに編成されている。
【００１６】
又、上記の様にパイル編みの部分をソックス内面の局部に織り込んだ物以外に、ソックス内面の全面に設けても良い。
【実施例２】
【００１７】
その他の実施例を図３に基づいて詳述すると、ミトン型カカト付ソックスの裏面部にパイル組織を編成してなるソックスにおいて、該ソックスは指先（３’）部分と底部（４’）をパイル編み（Ｐ）に形成してなる事を特徴とするパイル織りソックスから構成される。
【００１８】
又、ミトン型カカト付パイルソックスも五本指型カカト付パイル編みソックスと同様に、指先（３’）部分と底部（４’）をパイル編み（Ｐ）組織に編成し、且つ、足首から上部には口ゴム部（１）を設けて形成されている。
【産業上の利用可能性】
【００１９】
この考案のパイル編みソックスは、耐磨耗性や耐ピリング性を悪化する恐れがなく、且つ、パイル糸にウールやシルク糸も使用する事が出来る為、保温性と吸湿性が良く、スポーツや労働作業用に最適である為、幅広い多くの市場に寄与する点で産業上の利用可能性を有する。
【図面の簡単な説明】
【００２０】
【図１】この考案の一実施例を示し、五本指パイル編みソックスの表裏を裏返して見た斜視図である。
【図２】この考案の一実施例を示し、パイル編み組織の拡大詳細図である。
【図３】その他の実施例を示し、ミトン型パイルソックスの表裏を裏返して見た斜視図である。
【符号の説明】
【００２１】
１  口ゴム部
１’  口ゴム部
２  足首
２’  足首
３  指先
３’  指先
４  底部
４’  底部
ＣＴ  渡り糸
Ｐ  パイル編み
Ｐａ  パイル目
Ｎ  針
【図１】
0003115672.tif 000003
【図２】
0003115672.tif 000004
【図３】
0003115672.tif 000005